(57)【特許請求の範囲】
【請求項１】
画像表示部と、
上記画像表示部を観察している観察者の覚醒状態の瞬きによる瞼の開閉動作を検出するセンサーと、
上記センサーからの信号を受けて、上記観察者の瞼が予め定められた一定値以上閉じられ、かつ、上記瞼が上記覚醒状態の瞬きによって観察者の視野の全てを塞ぐよりも大きく閉じたときに、直ちに、上記画像表示部を消灯するように制御する制御装置と
を備えることを特徴とする画像表示装置。
【請求項２】
請求項１に記載の画像表示装置において、
上記センサーは、観察者の左目の瞼の開閉動作を検出する左目用のセンサーと観察者の右目の瞼の開閉動作を検出する右目用のセンサーとを含み、
上記制御装置は、上記左目用および右目用のセンサーからの信号に基づいて、上記観察者の左目および右目の両方の瞼が予め定められた一定値以上閉じられているときに、上記画像表示部を消灯するように制御する
ことを特徴とする画像表示装置。
【請求項３】
請求項１または２に記載の画像表示装置において、
上記センサーは、瞼と目本体の温度差を検出可能な遠赤外線センサーであることを特徴とする画像表示装置。
【請求項４】
請求項１から３のいずれか１つに記載の画像表示装置において、
上記制御装置は、
瞼の閉を判別するための閾値を設定する閾値設定手段と、
上記センサーからの信号と上記閾値とを比較する比較手段と
を備えて、上記比較手段からの信号に基づいて、上記画像表示部を消灯制御することを特徴とする画像表示装置。
【請求項５】
請求項４に記載の画像表示装置において、
上記制御装置は、
上記センサーからの信号に基づいて、瞼の閉を判別するための閾値を算出する閾値算出手段
を備えて、
上記比較手段によって、上記センサーからの信号と上記閾値とを比較し、上記比較手段からの信号に基づいて、上記画像表示部を消灯制御することを特徴とする画像表示装置。
【発明の詳細な説明】
【技術分野】
【０００１】
この発明は、例えば、ユーザの頭部に装着するヘッドマウントディスプレイ装置や、眼鏡型ディスプレイ装置等のように、ユーザの視野に画像を表示する画像表示装置に関する。
【背景技術】
【０００２】
ヘッドマウントディスプレイ装置や眼鏡型ディスプレイ装置は、バッテリー駆動時間を増やすための省電力化が必要不可欠である。さらに、ヘッドマウントディスプレイ装置や眼鏡型ディスプレイ装置は、より一層の小型、軽量化が望まれているため、必然的に、バッテリーが小型化して、バッテリー駆動時間を増やすための省電力化の要請が切実なものとなっている。
【０００３】
従来、ヘッドマウントディスプレイ装置としては、特開２００９−８１５２９号公報（特許文献１）に記載のものがある。このヘッドマウントディスプレイ装置では、発光部から照明光を観察者の目本体に照射し、目本体で反射した照明光を受光部で受けて、受光部で受けた照明光が予め定めた閾値よりも大きいと、瞼の閉状態であるとして、瞼の開閉動作を検出している。そして、単位時間当たりの瞼の開閉数をカウントして、単位時間当たりの瞼の開閉数が予め定められた基準値を超えると、睡眠状態に入る直前であると判断して、画像の表示を停止して、省電力化を達成するようにしている。
【先行技術文献】
【特許文献】
【０００４】
【特許文献１】特開２００９−８１５２９号公報
【発明の概要】
【発明が解決しようとする課題】
【０００５】
ところで、画像表示装置のユーザである観察者は、睡眠状態に入る直前ではなくて、覚醒状態でも、常時、瞬きを繰り返している。
【０００６】
しかるに、上記従来のヘッドマウントディスプレイ装置は、睡眠状態では、画像表示を停止して、ある程度、省電力化を達成できても、覚醒状態の瞬きで瞼を閉じているときでも、画像表示を行っているため、電力を無駄に消費しているという問題がある。
【０００７】
そこで、この発明の課題は、覚醒状態の瞬きで瞼を閉じているときに、電力を無駄に消費しない画像表示装置を提供することにある。
【課題を解決するための手段】
【０００８】
上記課題を解決するため、この発明の画像表示装置は、
画像表示部と、
上記画像表示部を観察している観察者の覚醒状態の瞬きによる瞼の開閉動作を検出するセンサーと、
上記センサーからの信号を受けて、上記観察者の瞼が予め定められた一定値以上閉じられ、かつ、上記瞼が上記覚醒状態の瞬きによって観察者の視野の全てを塞ぐよりも大きく閉じたときに、直ちに、上記画像表示部を消灯するように制御する制御装置と
を備えることを特徴としている。
【０００９】
上記構成の画像表示装置によれば、上記制御装置は、観察者の瞼の開閉動作を検出するセンサーからの信号を受けて、上記観察者の瞼が予め定められた一定値以上閉じられ、かつ、上記瞼が上記覚醒状態の瞬きによって観察者の視野の全てを塞ぐよりも大きく閉じたときに、直ちに、上記画像表示部を消灯するので、覚醒状態の瞬きで瞼を閉じているときに、電力を無駄に消費することがない。
【００１０】
１実施形態では、
上記センサーは、観察者の左目の瞼の開閉動作を検出する左目用のセンサーと観察者の右目の瞼の開閉動作を検出する右目用のセンサーとを含み、
上記制御装置は、上記左目用および右目用のセンサーからの信号に基づいて、上記観察者の左目および右目の両方の瞼が予め定められた一定値以上閉じられているときに、上記画像表示部を消灯するように制御する。
【００１１】
上記実施形態によれば、上記左目用および右目用のセンサーからの信号に基づいて、上記観察者の左目および右目の両方の瞼が予め定められた一定値以上同時に閉じられているときに、上記画像表示部を消灯する。
【００１２】
このように、この実施形態では、上記観察者の左目および右目の両方の瞼が予め定められた一定値以上同時に閉じられているときに、上記画像表示部を消灯するので、チック症等の右目と左目との瞼の動作がばらばらな観察者でも、消灯した画面表示部を見無くて済むため、画面のチラツキとして認識されることを防ぐことができる。
【００１３】
１実施形態では、
上記センサーは、瞼と目本体の温度差を検出可能な遠赤外線センサーである。
【００１４】
上記実施形態によれば、センサーとして、瞼と目本体の温度差を検出可能な遠赤外線センサーを用いているので、特許文献１に記載のような発光部（発光ダイオード等）が不要で、発光エネルギーが不要となるため、より省電力化を達成することができる。
【００１５】
１実施形態では、
上記制御装置は、
瞼の閉を判別するための閾値を設定する閾値設定手段と、
上記センサーからの信号と上記閾値とを比較する比較手段と
を備えて、上記比較手段からの信号に基づいて、上記画像表示部を消灯制御する。
【００１６】
観察者の視野は、各個人毎に異なる。したがって、瞼が視野を完全に覆わない状態で、画像表示部を消灯制御すると、観察者に不快なチラツキを感じさせることになる。一方、瞼が視野を完全に覆った状態で、画像表示部を消灯制御しないと、画像表示部でエネルギーを無駄に使うことになる。したがって、各個人毎に異なる視野を有する観察者に応じて、瞼の閉を判別するための閾値を設定するのが好ましい。
【００１７】
この実施形態では、瞼の閉を判別するための閾値を設定する閾値設定手段を備えるので、各観察者の視野に応じた閾値を設定して、一層、省電力化を達成でき、かつ、チラツキの発生を防止できる。
【００１８】
１実施形態では、
上記制御装置は、
上記センサーからの信号に基づいて、瞼の閉を判別するための閾値を算出する閾値算出手段
を備えて、
上記比較手段によって、上記センサーからの信号と上記閾値とを比較し、上記比較手段からの信号に基づいて、上記画像表示部を消灯制御する。
【００１９】
上記実施形態によれば、上記センサーからの信号に基づいて、瞼の閉を判別するための閾値を算出する閾値算出手段によって、各々の観察者の視野に応じた閾値を算出することができる。したがって、各観察者の視野に応じた閾値を算出して、一層、省電力化を達成でき、かつ、チラツキの発生を防止できる。
【発明の効果】
【００２０】
この発明によれば、観察者の瞼の開閉動作を検出するセンサーからの信号を受けて、観察者の瞼が予め定められた一定値以上閉じられたときに、画像表示部を消灯するので、覚醒状態の瞬きで瞼を閉じているときに、電力を無駄に消費することがない。
【図面の簡単な説明】
【００２１】
【図１】図１は、この発明の第１実施形態の画像表示装置と、瞼を開いた状態を示す図である。
【図２】図２は、第１実施形態の画像表示装置と、瞼を閉じた状態を示す図である。
【図３】図３は、瞼を１回閉じたときの遠赤外線センサーの出力波形を示すグラフである。
【図４】図４は、第１実施形態の制御装置のブロック図である。
【図５】図５は、瞼が開かれて、目本体が露出している状態を示す模式図である。
【図６】図６は、瞼が視野を塞ぐまで閉じられた状態を示す模式図である。
【図７】図７は、閾値算出手段のフローチャートである。
【図８】図８は、瞼の開閉が繰り返されたときの遠赤外線センサーの出力波形を示すグラフである。
【図９】図９は、閾値算出時の動作を説明する図である。
【図１０】図１０は、第２実施形態の遠赤外線センサーと目の関係を示す図である。
【図１１】図１１は、第２実施形態の制御装置のブロック図である。
【図１２】図１２は、左右の目の瞬きのタイミングが異なるときの状態を誇張して示すグラフである。
【発明を実施するための形態】
【００２２】
以下、この発明を図示の実施形態により詳細に説明する。
【００２３】
（第１実施形態）
図１は瞼１が開いた目の状態とこの第１実施形態の画像表示装置を示し、図２は瞼１が閉じた目の状態とこの第１実施形態の画像表示装置を示す。
【００２４】
図１および２に示すように、この第１実施形態の画像表示装置は、例えば、右目用のヘッドマウントディスプレイ装置や眼鏡型ディスプレイ装置であって、画像表示部の一例としての液晶ディスプレイ（ＬＣＤ）１１と、この液晶ディスプレイ１１のバックライト１２と、このバックライト１２の消灯制御を行う制御装置１３とを備えている。上記液晶ディスプレイ１１は、図１に示すように、目本体２の目線の先に配置しており、上記目本体２の目線は水平である。
【００２５】
また、この画像表示装置は、瞼１の開閉を検出するセンサーの一例としての遠赤外線センサー１４を備えている。上記遠赤外線センサー１４は、上記目本体２の視野の外となる斜め下方に配置している。
【００２６】
上記遠赤外線センサー１４が瞼１または目本体２からの遠赤外線１５を受けて、瞼１の開閉を検出できるのは、次の理由による。
【００２７】
図３は、上記赤外線センサー１４の出力を、時間を横軸で、温度を縦軸で示したもので、１瞬きの間の出力の変化を示している。目本体２の温度は、角膜上の水分に、角膜からの遠赤外線が吸収されることと、水分の気化による放熱のため、例えば35℃となり、瞼１の温度36℃よりも低い温度である。したがって、遠赤外線センサー１４は、瞼１が完全に開放されているときは、遠赤外線１５により目本体２の温度35℃（以下、開温度35℃という。）を検出する一方、瞼１が完全に閉鎖されたときは、瞼１からの遠赤外線１５により目本体２の開温度35℃よりも高い瞼１の温度36℃（以下、閉温度36℃という。）を検出するから、瞼１の開閉を確実に検出することができる。この赤外線センサー１４は、特許文献１とは違って、目本体に光を照射するための発光素子が不要で、この発光素子を駆動する発光エネルギーが不要であるので、エネルギーの消費が少ないという利点を有する。
【００２８】
なお、図３において、Thは、後述する閾値を示している。
【００２９】
上記遠赤外線センサー１４の出力は、上記制御装置１３に入力されて、上記閾値Thに相当するレベルを上回ったときに、制御装置１３は、液晶ディスプレイ１１のバックライト１２を消灯する。
【００３０】
上記制御装置１３は、図４に示すように、遠赤外線センサー１４の出力を受けるアンプ３１と、比較手段の一例としてのコンパレータ３２と、固定抵抗Ｒfと、可変抵抗Ｒvと、インバータ３３と、ドライバー３４と、マイクロコンピュータからなる閾値算出手段３６とを備えている。上記アンプ３１は、遠赤外線センサー１４からの信号を受けて増幅する。上記固定抵抗Ｒfと可変抵抗Ｒvとは、一例としての閾値設定手段３５を構成し、＋５Ｖを分圧して閾値Thを設定し、この閾値Thをコンパレータ３２の−端子に入力する。上記コンパレータ３２は、＋端子に入力されたアンプ３１の出力と、固定抵抗Ｒfと可変抵抗Ｒvとの接続点の電圧である閾値Thとを比較する。上記コンパレータ３２は、アンプ３１の出力が閾値Thを超えると、つまり、遠赤外線センサー１４からの信号が閾値Thに相当するレベルを超えると、ハイレベルの信号を出力して、インバータ３３を介して、ローレベルの信号をドライバー３４に出力して、液晶ディスプレイ１１のバックライト１２を消灯する。
【００３１】
上記閾値設定手段３５の可変抵抗Ｒvによって設定される閾値Thは、上記閾値算出手段３６によって算出される。上記閾値算出手段３６は、マイクロコンピュータのソフトウェアによって構成される。
【００３２】
ところで、同じ観察者でも室温、時間、体調により瞼１の開閉時の遠赤外線センサー１４によって検出される温度が異なるため、閾値Thの算出、設定が重要である。
【００３３】
上記閾値算出手段３６の構成、動作を、図３，５〜９を参照しながら、説明する。
【００３４】
図５は、瞼１が全開状態で最大限に露出した目本体２を示す図であり、図６は、瞼１が視野を隠すまで降りた状態を示す図である。図５，６において、４は瞳孔、５は虹彩である。図７は、閾値算出手段３６の動作を示すフローチャートであり、図８は遠赤外線センサー１４の出力波形を示し、図９は、視線中央マーカー２１と視野マーカー２２が表示された液晶ディスプレイ１１の画面を示している。
【００３５】
まず、図７に示すステップＳ１で、バックライト１２を点灯し、後述の閾値Thが算出されて記憶されるまでバックライト１２を点灯し続ける。
【００３６】
次に、ステップＳ２で、遠赤外線センサー１４によって、図８に示す目本体２の開温度A1,A2,A3および瞼１の閉温度B1,B2,B3を測定して、この開温度A1,A2,A3および閉温度B1,B2,B3を示すデータを閾値算出手段（マイクロコンピュータ）３６のメモリに記憶する。上記データを得るために、図示しないが、遠赤外線センサー１４の出力を増幅し、Ａ／Ｄ変換（アナログディジタル変換）し、極値を求めている。
【００３７】
次に、ステップＳ3で、開温度A1,A2,A3の３点平均値Aa=(A1+A2+A3)/3と、閉温度B1,B2,B3の３点平均値Ba=(B1+B2+B3)/3とを算出して、測定値のバラツキの影響を軽減する。
【００３８】
図５に示すように、瞼１が降りないで、目本体２が全開の状態の遠赤外線センサー１４の検出温度は、略、図８の開温度A1,A2,A3に相当する。また、図示しないが、瞼１が図５の目本体２を完全に塞いだ状態は、図８の閉温度B1,B2,B3に相当する。したがって、閉温度B1,B2,B3の平均値Baと開温度A1,A2,A3の平均値Aaとの差（Ba−Aa）を、図５の寸法Ｏに対応させることができる。一方、図６に示すように、瞼１が寸法Ｓだけ降りたときに、目本体２の視野の全てが瞼１で隠されるとすると、求めるべき閾値Thは、
閾値Th=Aa+(Ba−Aa)xＳ/Ｏ
となる。
【００３９】
このＳ/Ｏは、正確には、人により異なるため、ステップＳ４で、次のようにして求める。まず、図９に示すように、液晶ディスプレイ１１の画面に、視線中央マーカー２１と視野マーカー２２を表示し、観察者が視線中央マーカー２１を凝視している状態で、視野マーカー２２を徐々に下方に移動して、視野マーカー２２が視野から外れて、視野マーカー２２を観察者が視認できなくなったとき、そのときの視野マーカー２２の位置が上述のＳに対応する視野の下限に対応することになる。観察者は、視野マーカー２２を視認できなくなったとき、図示しない操作部を操作し、これにより、視野マーカー２２を観察者が視認できなくなったときの視野マーカー２２の位置が特定される。そうすると、閾値算出手段３６は、予め、視野マーカー２２の位置（あるいは視線中央マーカー２１と視野マーカー２２との間の距離）とＳとを対応づけて記憶しているメモリを参照して、Ｓを読み出し、予め記憶しているＯを読み出して、Ｓ/Ｏを算出する。尤も、視野マーカー２２の位置とＳ/Ｏとを対応つけて、記憶しておき、このＳ/Ｏを読み出すようにしてもよい。
【００４０】
次に、ステップＳ5で、上述の平均値Aa , BaとＳ/Ｏを用いて、
閾値Th =Aa+(Ba−Aa)xＳ/Ｏ
を算出して、記憶する。
【００４１】
このように、上記閾値算出手段３６が閾値Thを算出して記憶すると、閾値設定手段３５は、閾値算出手段３６から閾値Thを表す信号を受けて、可変抵抗Ｒvの抵抗値を調整して、コンパレータ３２の−端子の入力信号を、閾値Thに設定する。
【００４２】
上記構成の画像表示装置において、遠赤外線センサー１４は、瞼１の開閉に応じて、目本体２また瞼１の温度を検出する。
【００４３】
今、瞼１が図２または６に示すように、視野の全てを塞ぐ程度よりも大きく閉じ、つまり、瞼１が図６のＳよりも大きく下降したとする。そうすると、遠赤外線センサー１４からの信号のレベルは、図３に示す閾値Thよりも高いレベルになる。
【００４４】
上記遠赤外線センサー１４からの信号は、制御装置１３に入力されて、図４に示すアンプ３１を介して、コンパレータ３２の＋端子に入力され、一方、コンパレータ３２の−端子には閾値設定手段３５によって閾値Thが入力されている。コンパレータ３２の＋端子に入力される信号のレベルは、閾値Thのレベルよりも高いから、コンパレータ３２からハイレベルの信号が出力されて、インバータ３３を介して、ドライバー３４にローレベルの信号が入力されて、ドライバー３４は、バックライト１２を消灯する。
【００４５】
このように、覚醒時において、瞼１が視野の全てを塞ぐよりも大きく閉じたときに、直ちに、バックライト１２を消灯するので、無駄に電力を消費することがなくて省電力化を達成できる。
【００４６】
一方、瞼１が、図１に示すように、開放し、あるいは、視野の全てを未だ塞いでいないときは、遠赤外線センサー１４からの信号のレベルは、図３に示す閾値Thよりも低いレベルになる。
【００４７】
上記遠赤外線センサー１４からの信号は、図４に示すアンプ３１を介して、コンパレータ３２の＋端子に入力され、一方、コンパレータ３２の−端子には閾値設定手段３５によって閾値Thが入力されている。コンパレータ３２の＋端子に入力される信号のレベルは、閾値Thのレベルよりも低いから、コンパレータ３２からローレベルの信号が出力されて、インバータ３３を介して、ドライバー３４にハイレベルの信号が入力されて、ドライバー３４は、バックライト１２を点灯する。
【００４８】
このように、瞼１が視野の一部でも開いているとき、つまり、瞼１が視野の全てを塞いでいないときは、バックライト１２を点灯するので、画面を見ている観察者にチラツキ等による違和感を与えることがない。
【００４９】
この第１実施形態で、どの程度、省電力が達成されるかを、具体的に検討すると、次のようになる。
【００５０】
瞬きの回数と時間は性別、年齢、個人差があるが、例えば、20回/分、1回の瞬き100m秒とすると（図３参照）、1分間に2秒、目本体２を閉じていることになり、2秒/60秒から、液晶ディスプレイ１１の消費電力の最大3.3％の削減が見込める。瞼１の開閉による遠赤外線センサー１４の出力は、図３に示すように、逆ノコギリ波状なので、閾値Thをどこに設定するかで、消費電力の削減量と、画面のチラツキとして認識されるかどうかが決まる。
【００５１】
例えば、開温度の平均値Aa=36℃、閉温度の平均値Ba=35℃、Ｓ/Ｏ=2/3とすれば、
閾値Th =Aa+(Ba−Aa)xＳ/Ｏ＝35+ (36−35)×2/3=35.7℃
となり、図3のグラフから時間を読むと、1回の瞬き100m秒に対して消灯時間は40mSとなり、1％の省電力化が可能となる。例えば、１２型の液晶ディスプレイ１１だと、LED（発光ダイオード）バックライトの消費電力は4Wであり、この液晶サイズのタブレット端末の充電池は例えば7V， 6600mAhなので、このエネルギーを全てLEDバックライトに使うと考えると、11.5時間の点灯時間の1％だと6分間駆動時間が延びる計算となる。
【００５２】
（第２実施形態）
図１０〜１２は、第２実施形態の画像表示装置を説明する図であり、この第２実施形態の画像表示装置は、右目で画像を見る第１実施形態の画像表示装置とは違って、右目と左目との両方の目で、画像を見る画像表示装置である。この第２実施形態において、図１０，１１では、液晶ディスプレイとバックライトとを図示していないが、図１，２に示す第１実施形態の液晶ディスプレイ１１とバックライト１２を援用する。また、第２実施形態において、第１実施形態と同じ構成要素は、第１実施形態の構成要素と同じ参照番号を付して、詳しい説明は、省略する。
【００５３】
この第２実施形態の画像表示装置は、図１０に示すように、右目用の遠赤外線センサー１４と左目用の遠赤外線センサー２４を備えている。上記右目用の遠赤外線センサー１４と左目用の遠赤外線センサー２４とからの信号は、図１１に示す制御装置５３に入力している。
【００５４】
上記制御装置５３は、アンプ３１，５１と、比較手段の一例としてのコンパレータ３２，５２と、固定抵抗Ｒfと、可変抵抗Ｒvと、インバータ３３と、ドライバー３４と、右目用の閾値算出手段３６と、左目用の閾値算出手段５６と、アンド回路５８とを備えている。
【００５５】
上記アンプ３１、コンパレータ３２、インバータ３３、ドライバー３４、右目用の閾値設定手段３５および右目用の閾値算出手段３６は、第１実施形態のアンプ３１、コンパレータ３２、固定抵抗Ｒf、可変抵抗Ｒv、インバータ３３、ドライバー３４、閾値設定手段３５および閾値算出手段３６と同一構成なので、それらと同一参照番号を付して詳しい説明は省略する。
【００５６】
また、左目用の閾値算出手段５６は、左目用の遠赤外線センサー２４からの信号に基づいて、閾値を算出する点のみが、右目用の閾値算出手段３６と異なるので、その構成、動作の説明は図７を援用して省略する。また、左目用の閾値設定手段５５の構成、作用は、右目用の閾値設定手段３５の構成、作用と同様である。
【００５７】
上記アンプ５１は、左目用の遠赤外線センサー２４からの信号を受けて増幅して、コンパレータ５２の＋端子に入力する。このコンパレータ５２の−端子には、固定抵抗Ｒfと可変抵抗Ｒvとからなる閾値設定手段５５で設定された閾値Thが入力される。
【００５８】
上記コンパレータ３２，５２の出力は、アンド回路５８に入力されて、論理積がとられる。したがって、右目用の遠赤外線センサー１４と左目用の遠赤外線センサー２４との両方から、閾値Thのレベルを超える信号が、アンプ３１，５１を介して、コンパレータ３２，５２の＋端子に入力されると、アンド回路５８から、図１２に示す期間Ｔの間、ハイレベルの信号が出力される。そして、このハイレベルの信号は、インバータ３３によって、ローレベルになって、ドライバー３４に入力されて、バックライト１２が消灯される。
【００５９】
なお、図１２では、説明の便宜上、左目用の閾値と右目用の閾値が同一であるとしているが、異なっていてもよいのは勿論である。
【００６０】
このように、第２実施形態では、アンド回路５８で論理積をとって、右目の瞼１と左目の瞼１とが、図１２に示すように、同時に閾値Thを超えるだけ閉じられた期間Ｔだけ、バックライト１２を消灯するようにしているので、片目だけに画像が入らないということがない。したがって、瞼が特殊な動きをするチック症の患者でも、チラツキを認識することがない。
【００６１】
第１および第２実施形態では、閾値算出手段３６，５６を設けているが、この閾値算出手段３６，５６は設けなくてもよい。例えば、閾値設定手段で、殆どの観察者に適用できる閾値を地域、人種等に応じて固定的に設定してもよく、あるいは、複数の閾値を用意して、観察者がチラツキを感じない閾値を適宜選択して設定するようにしてもよい。
【００６２】
また、閾値設定手段は、並列に接続された複数の抵抗を、スイッチで選択して、閾値を設定するようにしてもよい。
【００６３】
また、第１および第２実施形態では、瞼の開閉を検出するセンサーとして、遠赤外線センサーを用いたが、これに限らないことは勿論である。例えば、瞼の開閉を検出するセンサーとして、発光素子と撮像素子とを用いるセンサー（特開平９−１０５８５３号公報参照）や、網膜の電位を検出して瞼の開閉を検出するセンサー（特開２０１１−８７６０９号公報参照）を用いてもよい。
【００６４】
また、第１および第２実施形態では、画像表示部として、液晶ディスプレイを用いたが、自発光ディスプレイ（例えば、プラズマディスプレイ，有機ＥＬ（Electro Luminescence），ＳＥＤ(Surface Condition Electron Emitter Display)等）を用いてもよい。
【００６５】
また、画像表示装置において、本体（枠体）、バンド、ケーブル、スピーカ等は、特許文献１等で、種々のものが周知で、また、それらは、この発明の要旨とは関係がないので、それらの説明は、第１および第２実施形態では、省略している。
【符号の説明】
【００６６】
１  瞼
２  目本体
１１  液晶ディスプレイ
１２  バックライト
１３，５３  制御装置
１４，２４  遠赤外線センサー
３２，５２  コンパレータ
３４  ドライバー
３５，５５  閾値設定手段
３６，５６  閾値算出手段
５８  アンド回路
【図１】
0005936379.tif 000002
【図２】
0005936379.tif 000003
【図３】
0005936379.tif 000004
【図４】
0005936379.tif 000005
【図５】
0005936379.tif 000006
【図６】
0005936379.tif 000007
【図７】
0005936379.tif 000008
【図８】
0005936379.tif 000009
【図９】
0005936379.tif 000010
【図１０】
0005936379.tif 000011
【図１１】
0005936379.tif 000012
【図１２】
0005936379.tif 000013